(57)【要約】【課題】自動火災報知システムにおいて、自動火災報知設備が近くに複数台設置される場合があり、火災受信機が音響鳴動した時に音源となる火災受信機の特定を誤らないようにする。【解決手段】火災受信機に音響装置が鳴動中であるかどうかの表示機能を設ける。【選択図】図１
2004145666.tif 000002
【特許請求の範囲】
【請求項１】
火災感知器からの発報信号を受信処理して鳴動させる主音響装置を備えた火災受信機において、
主音響鳴動報知ランプと、
火災感知器からの発報信号を受けて、火災を判断し、主音響装置を作動するときに、上記主音響鳴動報知ランプを点灯あるいは点滅作動させる制御処理部とを備えたことを特徴とする火災受信機。
【請求項２】
火災感知器からの発報信号を受信処理して鳴動させる主音響装置を備えた火災受信機において、
主音響鳴動報知ランプと、
主音響試験スイッチと、
この主音響試験スイッチが操作されたときに、上記主音響鳴動報知ランプを点灯あるいは点滅作動させる制御処理部とを備えたことを特徴とする火災受信機。
【請求項３】
請求項１、２のいずれかにおいて、
上記主音響鳴動時に上記主音響鳴動報知ランプを点灯あるいは点滅動作させる主音響／表示モードの実行を、有効、無効に選択的に設定する手段を更に備えた火災受信機。
【請求項４】
請求項１〜３のいずれかにおいて、
上記主音響鳴動報知ランプを、上記火災受信機の扉の内部に設けている火災受信機。
【発明の詳細な説明】
【０００１】
【発明の属する技術分野】
本発明は、火災感知器からの発報信号を受信処理して鳴動させる主音響装置を備えた火災受信機の改良に関する。
【０００２】
【従来の技術】
近時、ビルやマンションには、火災感知器で火災を検知してこれを報知する自動火災報知システムが導入されている。
【０００３】
この種のシステムでは、各所に設置した火災感知器で検知した火災信号を受信して火災報知を行う火災受信機を設置している。この火災受信機は、各住戸や共通フロアなど適所に設置した火災感知器の動作を監視し、感知器回線に接続された火災感知器が発報したときは、火災灯が点灯または点滅され、火災を検知したときには警報音を出力する（特許文献１参照）。
【０００４】
【特許文献１】
特開平９−１８００７３号
【０００５】
【発明が解決しようとする課題】
自動火災報知システムを操作する人は、音響警報が鳴動するとその音圧が大きいため、まず最初に音響警報を停止した後、確認など次の作業に移行したいという意識が働く。そこで、火災受信機の音響装置が鳴動したとき、火災受信機の音響停止スイッチを押下し音響を止めようと試みる。
【０００６】
自動火災報知システムは、警報監視盤や火災受信機を備えた自動火災報知設備からなり、複数の警報監視盤で構成される場合や、他の自動火災報知システムと併設される場合など、図５に示すように、火災受信機を備える自動火災報知設備１５の近くに別の自動火災報知設備１６が複数台設置されることがある。この場合、各火災報知設備１５、１６に備わっている火災受信機の鳴動音が似ているなどのため、ある火災受信機が音響鳴動したとき、音源となる火災受信機の特定を誤るケースが発生していた。上記のように、鳴動していない自動火災報知設備に対して鳴動中であると誤判断をした場合、自動火災報知設備の音響停止スイッチを押下しても音響が停止しないため、自動火災報知システムは正常動作しているにもかかわらず自動火災報知システムに異常が生じたと誤判断してしまうことがある。
【０００７】
また、自動火災報知システムの音響装置の点検を行う場合、実際に音響が鳴動する事象を発生させるか或いは、火災試験や一斉試験を行う。火災試験では、実火災と同様に各種外部出力が行われるため、事前に出力停止状態に設定する必要がある。一斉試験では、複数の試験を行うため実行に時間がかかる。以上のように手軽に短時間で音響装置の点検を行う手段がない。
【０００８】
本発明は、このような事情を考慮して提案されたもので、その目的は、鳴動中の火災受信機の特定における誤り発生を防止することにある。
【０００９】
【課題を解決するための手段】
上記目的を達成するため提案される請求項１に記載された本発明は、火災感知器からの発報信号を受信処理して鳴動させる主音響装置を備えた火災受信機であり、主音響鳴動報知ランプと、火災感知器からの発報信号を受けて、火災を判断し、主音響装置を作動するときに、上記主音響鳴動報知ランプを点灯あるいは点滅作動させる制御処理部とを備えた構成となっている。
【００１０】
請求項２に記載された本発明は、火災感知器からの発報信号を受信処理して鳴動させる主音響装置を備えた火災受信機であり、主音響鳴動報知ランプと、主音響試験スイッチと、この主音響試験スイッチが操作されたときに、上記主音響鳴動報知ランプを点灯あるいは点滅作動させる制御処理部とを備えた構成となっている。
【００１１】
請求項３に記載された本発明は、請求項１、２のいずれかにおいて記載された構成に加えて、上記主音響鳴動時に上記主音響鳴動報知ランプを点灯あるいは点滅動作させる主音響／表示モードの実行を、有効、無効に選択的に設定する手段を更に備えた構成となっている。
【００１２】
【発明の実施の形態】
以下に、本発明の実施の形態について添付図面とともに説明する。
【００１３】
図２は、本発明の火災受信機の要部構成例を示すブロック図である。
【００１４】
この火災受信機１は、火災発報時の基本動作を実行するために、火災感知器２０からの発報信号を受信して火災を検知する火災受信回路２および火災検知部３と、受信した信号や操作により各種制御処理を行う制御処理部４と、制御停止や動作試験のための各種操作スイッチを設けた操作部５と、動作状態等を表示する表示部６を備えているほか、火災灯７、火災感知器からの発報信号を受信処理して鳴動させる主音響装置８、主音響装置８の鳴動時に点灯あるいは点滅作動する主音響鳴動報知ランプ９、主音響鳴動報知ランプの作動をＯＮ／ＯＦＦする主音響試験スイッチ１０、主音響鳴動時に主音響鳴動報知ランプを点灯あるいは点滅動作させる主音響／表示モードの実行を有効、無効に選択的に設定する手段である主音響／表示モード設定手段１１を備えている。
【００１５】
図３は火災発生時の火災受信機１の状態変化のフローチャートである。火災感知器２０が発報されると（１００）、火災受信回路２が火災感知器２０からの発報信号を受信処理し、更に火災検知部３が実火災かどうか判断する。この場合、１回目に発報信号を受信しても実火災とは判断されず、ある一定時間に繰り返して発報信号を受信すると実火災と判断され（１０１）、受信した信号や操作により制御処理部４が表示部６に動作状態を表示し、火災であることを知らせる火災灯７が点灯され（１０２）、主音響装置８が鳴動し（１０３）、主音響鳴動報知ランプ９が作動し点灯あるいは点滅動作する（１０４）フローになっている。主音響装置８の鳴動が止むと主音響鳴動報知ランプ９の点灯あるいは点滅動作も止むが、火災灯７の点灯は止まない。本発明の火災受信機では主音響試験スイッチ１０により主音響鳴動報知ランプの作動をＯＮ／ＯＦＦに切り替えることもできる。この主音響試験スイッチ１０をオン操作すれば、主音響鳴動報知ランプ９が点灯あるいは点滅動作する。従って、主音響装置８が、実火災があったときには、火災感知器２０の発報信号により正常に作動することを確認することができる。点灯または点滅しないときは、主音響装置８等が異常（故障等）であるのでその修復措置を講じる必要がある。また主音響／表示モード設定手段１１により、主音響鳴動時に主音響鳴動報知ランプを点灯あるいは点滅動作させる主音響／表示モードの実行を有効、無効に選択的に設定することもできるようになっている。この主音響／表示モード設定手段１１を設けることにより、設置が１台だけで、他に同様の火災受信機が設置されてない場合は、鳴動による混同を生じないので、モード設定を無効として消費電力の削減を図ることができる。
【００１６】
図１に本発明の火災受信機の表示部６の一例を示す。表示部６は常に表に露出する主機能表示部１２の部位と小扉１３との部分および回線表示部１７から構成されている。主機能表示部１２は、交流電源、スイッチ注意、トラブル、地区音響強制停止、非常放送中、警戒中、発信機、電話、蓄積中の表示がされる。主音響鳴動報知ランプ９は平時小扉１３の内部に設置されていて、小扉１３を開いたときに確認できるようになっている。表示部６は大扉１４の盤内に設けられる場合もある。
【００１７】
図４は、本発明の火災受信機を備えた自動火災報知設備１８とその他の自動火災報知設備１６とで構成される自動火災報知システムにおける鳴動報知の状況を説明する図である。（ａ）は他の自動火災報知設備１６の１つが鳴動した場合を示す。この場合、当該自動火災報知設備１８の主音響鳴動報知ランプ９は点灯または点滅しないから、その自動火災報知設備１８の鳴動を停止させるような誤操作の懸念がない。また（ｂ）は、当該自動火災報知設備１８の主音響装置が作動して鳴動した場合であって、この場合は主音響鳴動報知ランプ９が点灯または点滅するので、その鳴動停止を間違いなく実施することができる。
【００１８】
【発明の効果】
請求項１では、主音響鳴動報知ランプの表示により当該火災受信機が鳴動中かどうかが明確になり、鳴動中火災受信機の特定の誤りを防止できる。
【００１９】
請求項２では、主音響試験スイッチを設けることにより、確認が必要なときだけ主音響鳴動報知ランプを表示させることができ、電流消費を削減できる。
【００２０】
請求項３では、現場に設置される火災受信機が１台のときなど、音響鳴動中の火災受信機の特定を誤る恐れがない場合には、モード設定を無効にして、消費電流の削減が図れるとともに、他の表示と間違うことを防ぐことができる。
【００２１】
請求項４では、主音響鳴動報知ランプを火災受信機の扉の内部に設けることによって、表面の主機能の表示との混乱を防止できる。
【図面の簡単な説明】
【図１】本発明の火災受信機の操作パネルを示す図である。
【図２】本発明の火災受信機の要部構成例を示すブロック図である。
【図３】火災発生時の火災受信機の状態変化のフローチャートである。
【図４】自動火災報知設備が、他の自動火災報知設備と併設される場合を示す図である。
【図５】従来における自動火災報知設備が、他の自動火災報知設備と併設される場合を示す図である。
【符号の説明】
１・・・火災受信機
２・・・火災受信回路
３・・・火災検知部
４・・・制御処理部
５・・・操作部
６・・・表示部
７・・・火災灯
８・・・主音響装置
９・・・主音響鳴動報知ランプ
１０・・・主音響試験スイッチ
１１・・・主音響／表示モード設定手段
１２・・・主機能表示部
１３・・・小扉
１４・・・大扉
１５・・・自動火災報知設備
１６・・・他の自動火災報知設備
１７・・・回線表示部
１８・・・本発明の火災受信機を備えた自動火災報知設備
２０・・・火災感知器
【図１】
2004145666.tif 000003
【図２】
2004145666.tif 000004
【図３】
2004145666.tif 000005
【図４】
2004145666.tif 000006
【図５】
2004145666.tif 000007